(57)【要約】      （修正有）【課題】誤操作を未然に防止することができる画像形成装置、制御プログラム及び制御方法を提供する。【解決手段】画像形成装置は、ＣＰＵを含み、タッチパネル２０付きのディスプレイ２２を備える。ＣＰＵは、カラー印刷の使用可能の場合に、カラーモード設定のための機能選択キー１０２とカラースタートキーが表示されたコピー設定画面をディスプレイに表示し、カラー印刷の使用不可となる制限条件を満たす場合に、カラーモードの設定のための機能選択キー１０２およびカラースタートキーが非表示されたコピー設定画面１００ａをディスプレイに表示する。【選択図】図７
2020078021.tif 000002
【特許請求の範囲】
【請求項１】
モノクロ印刷およびカラー印刷を実行可能な画像形成装置であって、
コピー機能に関する操作画面を表示する操作画面表示手段と、
コピー機能において前記カラー印刷の機能の使用を制限する制限条件を満たすかどうかを判断する制限条件判断手段と、
前記制限条件判断手段によって前記制限条件を満たすことが判断された場合に、前記カラー印刷の機能に関する情報を前記操作画面において非表示する非表示手段を備える、画像形成装置。
【請求項２】
前記制限条件は、前記コピー機能において前記カラー印刷の機能を使用不可にすることが設定されていることの第１条件を含み、
前記制限条件判断手段は、前記第１条件を満たすかどうかを判断し、
前記非表示手段は、前記制限条件判断手段によって前記第１条件を満たすことが判断された場合に、前記カラー印刷の機能に関する情報を前記操作画面において非表示する、請求項１記載の画像形成装置。
【請求項３】
前記制限条件は、前記画像形成装置において前記カラー印刷の機能を使用不可にすることが設定されていることの第２条件を含み、
前記制限条件判断手段は、前記第２条件を満たすかどうかを判断し、
前記非表示手段は、前記制限条件判断手段によって前記第２条件を満たすことが判断された場合に、前記カラー印刷の機能に関する情報を前記操作画面において非表示する、請求項１または２記載の画像形成装置。
【請求項４】
前記制限条件は、前記カラー印刷の印刷枚数の上限が設定されていることの第３条件を含み、
前記制限条件判断手段は、前記第３条件を満たすかどうかを判断し、
前記制限条件判断手段によって前記第３条件を満たすことが判断された場合に、前記カラー印刷の前記印刷枚数が上限に達しているかどうかを判断する上限判断手段をさらに備え、
前記非表示手段は、前記上限判断手段によって前記カラー印刷の前記印刷枚数が上限に達していることを判断した場合に、前記カラー印刷の機能に関する情報を前記操作画面において非表示する、請求項１から３までのいずれかに記載の画像形成装置。
【請求項５】
前記制限条件は、前記カラー印刷のみを実行できないエラーが発生していることの第４条件を含み、
前記制限条件判断手段は、前記第４条件を満たすかどうかを判断し、
前記制限条件判断手段によって前記第４条件を満たすことが判断された場合に、前記カラー印刷の機能に関する情報を前記操作画面において非表示する、請求項１から４までのいずれかに記載の画像形成装置。
【請求項６】
前記カラー印刷の機能に関する情報は、前記コピー機能において前記カラー印刷の実行を指示するための第１操作情報および当該カラー印刷に関する設定を行うための第２操作情報を含む、請求項１から５までのいずれかに記載の画像形成装置。
【請求項７】
原稿のスキャンを実行するスキャン実行手段と、
前記スキャン実行手段によってスキャンされた原稿に対応するプレビュー画像を表示するプレビュー画像表示手段をさらに備え、
前記制限条件判断手段によって前記制限条件を満たすことが判断された場合には、前記プレビュー画像表示手段は、前記原稿がカラー原稿か否かに拘わらず、前記スキャン実行手段によってスキャンされた当該原稿に対応するプレビュー画像をグレースケールで表示する、請求項１から６までのいずれかに記載の画像形成装置。
【請求項８】
モノクロ印刷およびカラー印刷を実行可能な画像形成装置の制御プログラムであって、
前記画像形成装置のプロセッサに、
コピー機能に関する操作画面を表示部に表示する操作画面表示ステップと、
コピー機能において前記カラー印刷の機能の使用を制限する制限条件を満たすかどうかを判断する制限条件判断ステップと、
前記制限条件判断ステップにおいて前記制限条件を満たすことを判断した場合に、前記カラー印刷の機能に関する情報を前記操作画面において非表示する非表示ステップを実行させる、制御プログラム。
【請求項９】
モノクロ印刷およびカラー印刷を実行可能な画像形成装置の制御方法であって、
（ａ）コピー機能に関する操作画面を表示部に表示するステップと、
（ｂ）コピー機能において前記カラー印刷の機能の使用を制限する制限条件を満たすかどうかを判断するステップと、
（ｃ）前記ステップ（ｂ）において前記制限条件を満たすことを判断した場合に、前記カラー印刷の機能に関する情報を前記操作画面において非表示するステップを含む、制御方法。
【発明の詳細な説明】
【技術分野】
【０００１】
この発明は、画像形成装置、制御プログラムおよび制御方法に関し、特にたとえば、モノクロ印刷およびカラー印刷を選択的に実行できる、画像形成装置、制御プログラムおよび制御方法に関する。
【背景技術】
【０００２】
この種の背景技術の一例が特許文献１に開示される。背景技術の画像処理装置では、カラースタートキーまたはモノクロスタートキーが押されると、押されたキーが使用可能かどうかを判断し、使用できない場合には、使用できない旨のメッセージが表示される。
【先行技術文献】
【特許文献】
【０００３】
【特許文献１】特開２００５−２１７４９５号公報
【発明の概要】
【発明が解決しようとする課題】
【０００４】
しかしながら、背景技術の画像処理装置では、カラースタートキーまたはモノクロスタートキーが押されることが前提であり、使用不可であるキーを押すような誤操作を未然に防止することができなかった。
【０００５】
それゆえに、この発明の主たる目的は、新規な、画像形成装置、制御プログラムおよび制御方法を提供することである。
【０００６】
この発明の他の目的は、誤操作を未然に防止することができる、画像形成装置、制御プログラムおよび制御方法を提供することである。
【課題を解決するための手段】
【０００７】
第１の発明は、モノクロ印刷およびカラー印刷を実行可能な画像形成装置であって、コピー機能に関する操作画面を表示する操作画面表示手段と、コピー機能においてカラー印刷の機能の使用を制限する制限条件を満たすかどうかを判断する制限条件判断手段と、制限条件判断手段によって制限条件を満たすことが判断された場合に、カラー印刷の機能に関する情報を操作画面において非表示する非表示手段を備える、画像形成装置である。
【０００８】
第２の発明は、第１の発明に従属し、制限条件は、コピー機能においてカラー印刷の機能を使用不可にすることが設定されていることの第１条件を含み、制限条件判断手段は、第１条件を満たすかどうかを判断し、非表示手段は、制限条件判断手段によって第１条件を満たすことが判断された場合に、カラー印刷の機能に関する情報を操作画面において非表示する。
【０００９】
第３の発明は、第１または第２の発明に従属し、制限条件は、画像形成装置においてカラー印刷の機能を使用不可にすることが設定されていることの第２条件を含み、制限条件判断手段は、第２条件を満たすかどうかを判断し、非表示手段は、制限条件判断手段によって第２条件を満たすことが判断された場合に、カラー印刷の機能に関する情報を操作画面において非表示する。
【００１０】
第４の発明は、第１から第３までのいずれかの発明に従属し、制限条件は、カラー印刷の印刷枚数の上限が設定されていることの第３条件を含み、制限条件判断手段は、第３条件を満たすかどうかを判断し、制限条件判断手段によって第３条件を満たすことが判断された場合に、カラー印刷の印刷枚数が上限に達しているかどうかを判断する上限判断手段をさらに備え、非表示手段は、上限判断手段によってカラー印刷の印刷枚数が上限に達していることを判断した場合に、カラー印刷の機能に関する情報を操作画面において非表示する。
【００１１】
第５の発明は、第１から第４までのいずれかの発明に従属し、制限条件は、カラー印刷のみを実行できないエラーが発生していることの第４条件を含み、制限条件判断手段は、第４条件を満たすかどうかを判断し、制限条件判断手段によって第４条件を満たすことが判断された場合に、カラー印刷の機能に関する情報を操作画面において非表示する。
【００１２】
第６の発明は、第１から第５までのいずれかの発明に従属し、カラー印刷の機能に関する情報は、コピー機能においてカラー印刷の実行を指示するための第１操作情報および当該カラー印刷に関する設定を行うための第２操作情報を含む。
【００１３】
第７の発明は、第１から第６までのいずれかの発明に従属し、原稿のスキャンを実行するスキャン実行手段と、スキャン実行手段によってスキャンされた原稿に対応するプレビュー画像を表示するプレビュー画像表示手段をさらに備え、制限条件判断手段によって制限条件を満たすことが判断された場合には、プレビュー画像表示手段は、原稿がカラー原稿か否かに拘わらず、スキャン実行手段によってスキャンされた当該原稿に対応するプレビュー画像をグレースケールで表示する。
【００１４】
第８の発明は、モノクロ印刷およびカラー印刷を実行可能な画像形成装置の制御プログラムであって、画像形成装置のプロセッサに、コピー機能に関する操作画面を表示部に表示する操作画面表示ステップと、コピー機能においてカラー印刷の機能の使用を制限する制限条件を満たすかどうかを判断する制限条件判断ステップと、制限条件判断ステップにおいて制限条件を満たすことを判断した場合に、カラー印刷の機能に関する情報を操作画面において非表示する非表示ステップを実行させる、制御プログラムである。
【００１５】
第９の発明は、モノクロ印刷およびカラー印刷を実行可能な画像形成装置の制御方法であって、（ａ）コピー機能に関する操作画面を表示部に表示するステップと、（ｂ）コピー機能においてカラー印刷の機能の使用を制限する制限条件を満たすかどうかを判断するステップと、（ｃ）ステップ（ｂ）において制限条件を満たすことを判断した場合に、カラー印刷の機能に関する情報を操作画面において非表示するステップを含む、制御方法である。
【発明の効果】
【００１６】
この発明によれば、誤操作を未然に防止することができる。
【００１７】
この発明の上述の目的，その他の目的，特徴および利点は、図面を参照して行う以下の実施例の詳細な説明から一層明らかとなろう。
【図面の簡単な説明】
【００１８】
【図１】図１はこの発明の一実施例である画像形成装置の外観構成を示す斜視図である。
【図２】図２は図１に示す画像形成装置の電気的な構成を示すブロック図である。
【図３】図３はコピー設定画面の第１の例を示す図である。
【図４】図４はコピー設定画面の第２の例を示す図である。
【図５】図５はプレビュー画面の第１の例を示す図である。
【図６】図６はプレビュー画面の第２の例を示す図である。
【図７】図７はコピー設定画面の第３の例を示す図である。
【図８】図８はコピー設定画面の第４の例を示す図である。
【図９】図９はコピー設定画面の第５の例を示す図である。
【図１０】図１０はコピー設定画面の第６の例を示す図である。
【図１１】図１１はプレビュー画面の第３の例を示す図である。
【図１２】図１２はプレビュー画面の第４の例を示す図である。
【図１３】図１３は図２に示すＲＡＭのメモリマップの一例を示す図である。
【図１４】図１４は図２に示すＣＰＵのコピー機能の処理の一例の第１の一部を示すフロー図である。
【図１５】図１５は図２に示すＣＰＵのコピー機能の処理の第２の一部であって、図１４に後続するフロー図である。
【図１６】図１６は図２に示すＣＰＵのコピー機能の処理の第３の一部であって、図１５に後続するフロー図である。
【図１７】図１７は図２に示すＣＰＵのコピー機能の処理の第４の一部であって、図１５および図１６に後続するフロー図である。
【図１８】図１８は図２に示すＣＰＵのコピー機能の処理の第５の一部であって、図１７に後続するフロー図である。
【図１９】図１９は図２に示すＣＰＵのコピー機能の処理の第６の一部であって、図１７に後続するフロー図である。
【図２０】図２０は図２に示すＣＰＵのコピー機能の処理の第７の一部であって、図１７に後続するフロー図である。
【図２１】図２１は図２に示すＣＰＵのコピー機能の処理の第８の一部であって、図２０に後続するフロー図である。
【発明を実施するための形態】
【００１９】
図１はこの発明の一実施例である画像形成装置１０の外観構成を示す斜視図である。図１を参照して、この実施例では、画像形成装置１０は、複写機能、プリンタ機能、スキャナ機能およびファクシミリ機能などを有する複合機（ＭＦＰ：Multifunction Peripheral）である。
【００２０】
なお、この発明は複合機だけでなく、少なくとも複写機（コピー機）を備える他の画像形成装置に適用可能である。
【００２１】
また、この明細書では、画像形成装置１０を操作するユーザに対向する面、つまり後述する操作パネル２６が設けられる側の面を前面（正面）として画像形成装置１０およびその構成部材の前後方向（奥行方向）を規定し、画像形成装置１０およびその構成部材の左右方向（横方向）は、ユーザから画像形成装置１０を見た状態を基準として規定する。
【００２２】
画像形成装置１０は、画像読取部３０、画像形成部３２、手差し原稿給紙部３４、給紙装置３８および排紙トレイ４０を含む装置本体３６を備える。
【００２３】
画像読取部３０は、透明材によって形成される原稿載置台を備え、装置本体３６に内蔵される。原稿載置台の上方には、ヒンジ等を介して原稿押えカバー３０ａが開閉自在に取り付けられる。この原稿押えカバー３０ａには、手差し原稿給紙部３４が設けられる。また、原稿押えカバー３０ａには、手差し原稿給紙部３４に載置された原稿を自動的に給紙するＡＤＦ（自動原稿送り装置）が設けられる。
【００２４】
また、画像読取部３０は、光源、複数のミラー、結像レンズおよびラインセンサ等を備える。この画像読取部３０は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、原稿表面の画像に基づく読取画像データが生成される。ラインセンサとしては、ＣＣＤ（Charge Coupled Device）またはＣＩＳ（Contact Image Sensor）等が用いられる。
【００２５】
画像形成部３２は、装置本体３６に内蔵され、画像読取部３０の下方に設けられる。この画像形成部３２は、感光体ドラム、帯電装置、露光装置、現像装置、転写装置および定着装置などを備える。画像形成部３２は、給紙装置３８等から搬送される記録媒体（用紙）上に電子写真方式によって画像を形成し、画像形成済みの用紙を排紙トレイ４０に排出する。ただし、用紙上に画像を形成するための出力画像データとしては、画像読取部３０で読み取った読取画像データ、または外部コンピュータから送信された画像データ等が利用される。また、記録媒体としては、紙からなる用紙に限定されず、ＯＨＰフィルムなどの紙以外のシートも用いられる。
【００２６】
詳細な説明は省略するが、画像形成装置１０は、カラーのプリント機能を備えており、画像形成部３２は、Ｙ（イエロー）、Ｍ（マゼンタ）、Ｃ（シアン）、Ｋ（ブラック）の各色について、４つの感光体ドラムと、４つの帯電装置と、４つの現像装置と、４つの中間転写ローラと、４つのクリーニング装置などを備える。また、色毎に、感光体ドラムと、帯電装置と、現像装置と、転写ローラと、クリーニング装置を含む画像形成ステーションが構成される。画像形成装置１０は、タンデム式の画像形成装置であって、画像形成部３２において、色毎の画像形成ステーションが一列に並んで配置される。
【００２７】
排紙トレイ４０は、画像読取部３０および画像形成部３２の間に設けられる。排紙トレイ４０の底面は、画像形成部３２によって区画される。また、排紙トレイ４０の天面は、画像読取部３０によって区画される。さらに、排紙トレイ４０の左側面（正面から見た左側面）は、連結筐体４２の右側面で規定される。つまり、排紙トレイ４０の前面側、背面側および左側面側は、開口する。排紙トレイ４０の底面は、連結筐体４２側に向かって下り勾配となる傾斜面を有する。
【００２８】
また、画像読取部３０の前面側には、操作パネル２６が設けられる。操作パネル２６は、タッチパネル２０付きのディスプレイ２２および複数の操作ボタン２６ａを含む。
【００２９】
タッチパネル２０付きのディスプレイ２２には、各種設定または印刷指示などをユーザから受け付けるためのソフトウェアキーおよびメッセージ等が表示される。一例として、ディスプレイ２２には、画像形成装置１０が実行可能な各種のジョブ（または機能）から所望のジョブを選択するための画面であるホーム画面および各ジョブの動作条件を設定するための設定画面などの操作画面が表示される。ただし、この実施例では、ジョブは、コピー（原稿のスキャンを含む）ジョブ、印刷ジョブおよびファックスの送信ジョブなどを意味する。
【００３０】
操作ボタン２６ａは、ハードウェアキーであって、たとえば、ホームキー、省電力キーおよび主電源キーなどが含まれる。ホームキーは、ホーム画面をディスプレイ２２に表示させるためのキーである。ただし、ホーム画面は、ジョブを選択するための画面である。電力キーは、消費電力が制限される省電力状態（以下、「省電力モード」という）と、消費電力が制限されない通常状態（以下、「通常モード」という）とを切り替えるためのキーである。
【００３１】
なお、ソフトウェアキーとは、たとえばタッチパネル２０付きのディスプレイ２２の表示面にソフトウェア的に再現されたキーまたはアイコンのことを言う。これに対して、ハードウェアキーとは、物理的な装置として設けられたキーまたは押しボタンのことを言う。
【００３２】
図２は図１に示す画像形成装置１０の電気的な構成を示すブロック図である。図２を参照して、画像形成装置１０はＣＰＵ１２を含む。ＣＰＵ１２は、バス６０を介してＲＡＭ１４、ＨＤＤ２８、タッチパネル制御回路１６、表示制御回路１８、操作ボタン検出回路２４、画像読取部３０、画像形成部３２および通信回路５０に接続される。また、タッチパネル制御回路１６はタッチパネル２０に接続され、表示制御回路１８はディスプレイ２２に接続され、操作ボタン検出回路２４は操作ボタン２６ａに接続される。
【００３３】
ＣＰＵ１２は、画像形成装置１０の全体的な制御を司る。ＲＡＭ１４は、ＣＰＵ１２のワーク領域およびバッファ領域として用いられる。ＨＤＤ２８は、画像形成装置１０の主記憶装置であって、ＣＰＵ１２が画像形成装置１０の各部位の動作を制御するための制御プログラム、各種の画面についての表示画像データ、画像形成装置１０に設定された設定内容についてのデータおよび画像形成装置１０のコピー機能で印刷された印刷枚数のデータ等を適宜記憶する。ただし、ＨＤＤ２８に代えて、またはＨＤＤ２８とともに、ＳＳＤ、フラッシュメモリ、ＥＥＰＲＯＭなどの他の不揮発性メモリが用いられてもよい。
【００３４】
タッチパネル制御回路１６は、タッチパネル２０に必要な電圧などを付与するとともに、タッチパネル２０のタッチ有効範囲内でのタッチ操作またはタッチ入力を検出して、そのタッチ入力の位置を示すタッチ座標データをＣＰＵ１２に出力する。
【００３５】
タッチパネル２０は、汎用のタッチパネルであり、静電容量方式、電磁誘導方式、抵抗膜方式、赤外線方式など、任意の方式のものを用いることができる。この実施例では、タッチパネル２０としては、静電容量方式のタッチパネルが用いられ、ディスプレイ２２の表示面上にタッチパネル２０が設けられる。ただし、タッチパネル２０とディスプレイ２２とが一体的に形成されたタッチパネルディスプレイが用いられてもよい。
【００３６】
表示制御回路１８は、ＧＰＵおよびＶＲＡＭなどを含んでおり、ＣＰＵ１２の指示の下、ＧＰＵは、ＲＡＭ１４に記憶された画像生成データ７４ｂ（図１３参照）を用いてディスプレイ２２に種々の画面を表示するための表示画像データをＶＲＡＭに生成し、生成した表示画像データをディスプレイ２２に出力する。ディスプレイ２２としては、たとえばＬＣＤまたはＥＬ（Electro-Luminescence）ディスプレイなどを用いることができる。
【００３７】
操作ボタン検出回路２４は、上述した操作ボタン２６ａの操作に応じた操作信号ないし操作データをＣＰＵ１２に出力する。
【００３８】
通信回路５０は、インターネットなどのネットワークに接続するための通信回路である。この通信回路５０は、有線通信回路または無線通信回路であり、ＣＰＵ１２からの指示に従って、ネットワークを介して、サーバ等の外部コンピュータと通信する。
【００３９】
なお、図２に示す画像形成装置１０の電気的な構成は単なる一例であり、これに限定される必要はない。たとえば、ＳＤカードまたはＵＳＢメモリなどの各種の記録媒体を装着可能なメモリスロットなどの接続部を備えても良い。
【００４０】
以下、図３〜図６を参照して、コピー設定画面１００および画像形成装置１０の動作例を説明する。図３はコピー設定画面１００の第１の例を示す図である。図４はコピー設定画面１００の第２の例を示す図である。図５はプレビュー画面２００の第１の例を示す図である。図６はプレビュー画面２００の第２の例を示す図である。
【００４１】
画像形成装置１０の電源がオンされた場合、画像形成装置１０が省電力モードから通常モードに設定された場合、または、ホームキーが操作された場合に、ホーム画面がディスプレイ２２に表示される。ホーム画面において、ユーザが所望のジョブを選択すると、選択されたジョブについての動作条件を設定するための設定画面がディスプレイ２２に表示される。
【００４２】
たとえば、ホーム画面でコピージョブが選択されると、コピー機能の処理が開始され、図３に示すようなコピー設定画面１００がディスプレイ２２に表示される。このコピー設定画面１００は、コピージョブの動作条件を設定するための画面である。なお、図３では、各種キー等が選択されていない基本状態のコピー設定画面１００を示している。つまり、基本状態では、各設定はデフォルトの状態である。
【００４３】
コピー設定画面１００には、機能選択キー１０２、他の機能選択キー１０４、テンキー１０６、白黒用のスタートキー１０８、カラー用のスタートキー１１０、リセットキー１１２およびプレビューキー１１４などのソフトウェアキーが設けられる（表示される）。
【００４４】
機能選択キー１０２は、コピー設定画面１００の左端に表示される。機能選択キー１０２は、複数設けられ、上下方向に並んで配置される。複数の機能選択キー１０２の各々は、コピージョブの主要な動作条件または主要な機能に対応する。具体的には、コピー設定画面１００には、カラーモードの設定、原稿の向き、用紙選択、両面コピー、倍率、コピー濃度および印刷物の出力方法（ソート／グループの別）の各々についての詳細設定（または選択）を行うための機能選択キー１０２が表示される。また、コピー設定画面１００には、上述した主要な機能以外の機能（他の機能）の各々についての詳細設定を行うためのその他の機能選択キー１０４が表示される。
【００４５】
ただし、カラーモードとは、出力画像についての色情報を意味し、カラーモード（または色情報）として、カラー、白黒（モノクロ）または自動設定を設定可能である。ただし、モノクロ画像は、白黒２値画像およびグレースケール画像を含む。カラーモードとしてカラーが設定された場合には、原稿をカラー印刷することが選択される。ただし、カラーモードとしてカラーが選択されていても、白黒スタートキー１０８がタッチされた場合には、モノクロ印刷が実行される。カラーモードとして白黒が選択された場合には、原稿をモノクロ印刷することが選択される。カラーモードとして自動設定が設定されている場合には、原稿が白黒であるかカラーであるかを判定するＡＣＳ（Auto color selection）判定の処理が実行され、判定結果に応じた色（白黒またはカラー）で印刷することが選択される。ただし、原稿がカラーであると判定されたとしても、白黒スタートキー１０８がタッチされた場合には、モノクロ印刷が実行される。なお、ＡＣＳ判定の処理は、既に周知であり、本願発明の本質的な内容では無いため、その詳細な説明は省略する。
【００４６】
テンキー１０６は、数字キーであり、コピー設定画面１００の中央に表示される部数設定領域１２０内に設けられる。テンキー１０６がタッチされると、タッチされた数字がテンキー１０６の上方のテンキー入力表示欄に表示される。つまり、部数が設定される。
【００４７】
白黒用のスタートキー（以下、「白黒スタートキー」という）１０８およびカラー用のスタートキー（以下、「カラースタートキー」という）１１０は、コピー設定画面１００の右下のコーナ領域に表示される、または、設けられる。この白黒スタートキー１０８およびカラースタートキー１１０は、画像形成装置１０に所定の動作を開始させるためのキーである。白黒スタートキー１０８がタッチ（選択または操作）されると、コピー機能におけるモノクロ印刷すなわち白黒コピーが開始される。また、カラースタートキー１１０がタッチ（選択または操作）されると、コピー機能におけるカラー印刷すなわちカラーコピーが開始される。
【００４８】
白黒コピーが開始（実行）されると、ＣＰＵ１２は画像読取部３０に原稿の読取指示を与える。また、ＣＰＵ１２は、画像読取部３０で読み取られた原稿に対応する読取画像データから各種の設定が反映された白黒の出力画像データを生成し、画像形成部３２に対して、出力画像データに従う白黒の画像形成処理を実行させる。
【００４９】
また、カラーコピーが開始（実行）されると、ＣＰＵ１２は画像読取部３０に原稿の読取指示を与える。また、ＣＰＵ１２は、画像読取部３０で読み取られた原稿に対応する読取画像データから各種の設定が反映されたカラーの出力画像データを生成し、画像形成部３２に対して、出力画像データに従うカラーの画像形成処理を実行させる。
【００５０】
なお、読取画像データから各種の設定が反映された白黒またはカラーの出力画像データを生成する処理、および、出力画像データに従う白黒またはカラーの画像形成処理は既に周知であり、本願発明の本質的な内容とは異なるため、これらの詳細な説明については省略することにする。
【００５１】
また、白黒コピーが実行された場合には、原稿がカラーであっても、出力画像は白黒である。また、カラーモードとして自動設定が設定されていれば、カラーコピーが実行された場合であっても、原稿が白黒であれば、白黒の画像形成処理が実行され、出力画像は白黒である。
【００５２】
リセットキー１１２は、カラースタートキー１１０の上方であり、コピー設定画面１００の右端に表示される、または、設けられる。リセットキー１１２は、画像形成装置１０が実行中の所定の動作を中止または設定された動作条件を初期化させるためのキーである。たとえば、リセットキー１１２がタッチされると、実行中のジョブが中断または中止される。また、リセットキー１１２がタッチされると、コピー設定画面１００で設定されたコピージョブの動作条件（各種の機能を含む）の設定が初期化され、デフォルトの状態にされる。
【００５３】
プレビューキー１１４は、白黒スタートキー１０８およびカラースタートキー１１０の上方であり、リセットキー１１２の左側に表示される、または、設けられる。プレビューキー１１４は、原稿を画像読取部３０で読み取り、読み取った原稿に対応するプレビュー画像をディスプレイ２２に表示するためのキーである。
【００５４】
上述したように、他の機能選択キー１０４がタッチされると、図４に示すように、他の機能を選択するためのウインドウまたは画面（以下、「機能選択ウインドウ」という）１３０が機能選択キー１０２および他の機能選択キー１０４の前面に表示されたコピー設定画面１００がディスプレイ２２に表示される。つまり、機能選択ウインドウ１３０は、ポップアップでディスプレイ２２に表示され、図４に示すように、白黒スタートキー１０８、カラースタートキー１１０、リセットキー１１２およびプレビューキー１１４に重ならない大きさおよび位置に表示される。
【００５５】
なお、後述するカラー使用不可の場合に表示される機能選択ウインドウ１３０ａ（図９および図１０参照）と区別するために、カラー使用可の場合に表示される機能選択ウインドウ１３０を「カラー使用可の機能選択ウインドウ１３０」と呼ぶことがある。
【００５６】
機能選択ウインドウ１３０は、他の機能の各々についての詳細設定を行うための画面（ウインドウ）であり、複数の機能選択キー１３２およびＯＫキー１３４が設けられる。上述したように、他の機能とは、機能選択キー１０２で設定可能な機能とは異なる機能を意味する。言い換えると、他の機能は、コピージョブに含まれる主要な機能以外の機能である。
【００５７】
複数の機能選択キー１３２は、それぞれ、ソフトウェアキーであり、複数の機能の各々に対応して設けられ、機能選択ウインドウ１３０の表示範囲内において上下左右方向に並んで配置される。いずれかの機能選択キー１３２がタッチされると、タッチされた機能選択キー１３２に対応する機能についての詳細設定の処理が実行される。
【００５８】
ＯＫキー１３４は、ソフトウェアキーであり、機能選択ウインドウ１３０を非表示する機能が割り当てられる。ＯＫキー１３４がタッチされると、機能選択ウインドウ１３０が非表示にされて、図３に示したようなコピー設定画面１００がディスプレイ２２に表示される。
【００５９】
この実施例では、機能選択ウインドウ１３０は、白黒スタートキー１０８、カラースタートキー１１０、リセットキー１１２およびプレビューキー１１４に重ならないため、機能選択ウインドウ１３０がディスプレイ２２に表示されていても、これらのキー操作は受け付け可能である。他の実施例では、機能選択ウインドウ１３０がディスプレイ２２に表示されている場合には、白黒スタートキー１０８、カラースタートキー１１０、リセットキー１１２およびプレビューキー１１４のキー操作を受け付けないようにしてもよい。
【００６０】
また、上述したように、プレビューキー１１４がタッチされると、手差し原稿給紙部３４にセットされた原稿または原稿台に載置された原稿が画像読取部３０で読み取られ（つまり、スキャンされ）、図５または図６に示すように、読み取られた原稿に対応するプレビュー画像２０２を含むプレビュー画面２００がディスプレイ２２に表示される。このとき、プレビュー画像２０２は、原稿の色情報およびカラーモードに応じて、カラーまたはグレースケールで表示される。
【００６１】
具体的には、コピー機能において、カラーモードとしてカラーが設定されている場合またはカラーモードとして自動設定が設定され、カラーの原稿がスキャンされた場合には、図５に示すように、カラーのプレビュー画像２０２を含むプレビュー画面２００がディスプレイ２２に表示される。ただし、カラーモードとしてカラーが設定されていても、原稿がモノクロである場合には、グレースケールのプレビュー画像２０２が表示される（図６参照）。
【００６２】
図５に示すように、プレビュー画面２００では、プレビュー画像２０２が画面中央に表示され（または、含まれ）、プレビュー画像２０２の下方に、プレビュー画像２０２に関する操作を実行するためのソフトウェアのキー２０４が設けられる。詳細な説明は省略するが、キー２０４がタッチされると、プレビュー画像２０２が拡大または縮小されたり、プレビュー画像２０２が回転（左に９０度または右に９０度回転）されたりする。また、コピー設定画面１００と同様に、白黒スタートキー１０８およびカラースタートキー１１０がプレビュー画面２００の右下のコーナ領域に表示される、または、設けられる。カラースタートキー１１０の上方にリセットキー１１２が表示される、または、設けられる。
【００６３】
なお、コピー設定画面１００と比較して分かるように、この実施例では、プレビュー画面２００では、プレビューキー１１４は非表示される、または、設けられない。他の実施例では、プレビュー画面２００において、プレビューキー１１４に代えて追加読込キーが表示される場合がある。原稿台に載置した原稿をスキャンした場合には、スキャン終了後に、続けて、他の原稿を原稿台に載置してスキャンされることがあるからである。また、追加読込モードがオンになっている状態で、手差し原稿給紙部３４に載置された原稿をスキャンした場合には、スキャン終了後に、続けて、手差し原稿給紙部３４に原稿を載置してスキャンされることもあるからである。
【００６４】
また、カラーモードとして白黒が設定されている場合またはカラーモードとして自動設定が設定され、モノクロの原稿がスキャンされた場合には、図６に示すように、グレースケールのプレビュー画像２０２が表示される。ただし、原稿がカラーであっても、カラーモードとして白黒が設定されている場合には、グレーススケールのプレビュー画像２０２が表示される。
【００６５】
なお、図６に示すプレビュー画面２００は、プレビュー画像２０２がグレースケールで表示される以外は図５に示したプレビュー画面２００と同じであるため、重複した説明は省略する。
【００６６】
また、図６では（後述する図１１および図１２も同じ）、プレビュー画像２０２に斜線を付すことにより、当該プレビュー画像２０２がグレースケールで表示されていることを示してある。
【００６７】
このような画像形成装置１０では、管理者によって、画像形成装置１０においてカラー印刷が禁止されたり、コピー機能においてカラー印刷が禁止されたり、画像形成装置１０におけるカラー印刷の枚数が制限されたり、カラー印刷のみできないエラーが発生していたりすることがある。
【００６８】
画像形成装置１０においてカラー印刷が禁止される場合には、コピー機能においてカラー印刷（つまり、カラーコピー）を実行することができないだけでなく、外部コンピュータにおいて印刷を実行する場合にカラー印刷することができず、また、画像形成装置１０に装着されたＵＳＢメモリのような外部メモリに記憶されたファイルデータの印刷を実行する場合にカラー印刷することができない。
【００６９】
また、コピー機能においてカラー印刷（つまり、カラーコピー）が禁止される場合には、カラーコピーを実行することができない。詳細な説明は省略するが、他の実施例では、カラーコピーが禁止されるかどうかは、管理者によって、ユーザ毎に設定されてもよい。かかる場合には、画像形成装置１０は、ユーザＩＤに対応してカラーコピーを禁止するかどうかの情報（ここでは、「カラーコピー可否情報」という）を記憶する。画像形成装置１０は、ユーザが画像形成装置１０にログインしたときに、ユーザＩＤに対応するカラーコピー可否情報を参照して、カラーコピーが禁止されているかどうかを判断する。
【００７０】
画像形成装置１０におけるカラー印刷の枚数が制限されるかどうかは、管理者によって設定される。カラー印刷の枚数が制限される場合には、カラー印刷可能な枚数（以下、「制限枚数」という）が設定される。制限枚数は、管理者によって、日単位または月単位で設定される。他の実施例では、制限枚数は、管理者によって、ユーザ毎に、日単位または月単位で設定されてもよい。かかる場合には、画像形成装置１０は、ユーザＩＤに対応してカラー印刷の印刷枚数（累積値）の情報を記憶する。画像形成装置１０は、ユーザが画像形成装置１０にログインしたときに、ユーザＩＤに対応して累積値の情報が記憶されている場合は、その累積値とユーザＩＤに対応する制限枚数を参照して、画像形成装置１０におけるカラー印刷が制限されているかどうかを判断する。
【００７１】
なお、この実施例で、コピー機能についてのみ説明するが、画像形成装置１０においてカラー印刷が制限されるため、カラーコピーのみならず、外部装置から受信したデータ（プリントデータ、ＦＡＸデータなど）および画像形成装置１０にファイリング（ＨＤＤ２８に記憶）されたデータをカラー印刷する場合の枚数も印刷枚数に含まれる。
【００７２】
カラー印刷のみ実行できないエラーが発生している場合の一例としては、カラー印刷用のトナー、この実施例では、イエロー、マゼンタ、シアンのトナーのうちの少なくとも１つが切れているが、ブラックのトナーが切れていない場合である。この場合、カラー印刷を実行することはできないが、モノクロ印刷を実行することはできる。詳細な説明はカラー印刷用のトナーのトナー切れが発生しているかどうかは各トナーのトナー濃度検出センサからの出力に基づいて判断することができる。トナー切れが発生しているかどうかを判断する手法については既に周知であるため、詳細な説明は省略する。
【００７３】
また、カラー印刷のみ実行できないエラーが発生している場合の他の例としては、カラー印刷用の画像形成ステーションにおいてトラブル（エラー）が発生しているが、モノクロ印刷用（ブラック用）の画像形成ステーションにはエラーが発生していない場合である。この場合には、カラー用のトナーが切れていなくても、カラー印刷を実行することができない。カラー印刷用の画像形成ステーションにエラーが発生しているかどうかを判断する手法については既に周知であるため、詳細な説明は省略する。
【００７４】
このように、画像形成装置１０においてカラー印刷が禁止されること、画像形成装置１０のコピー機能においてカラー印刷が禁止されること、画像形成装置１０においてカラー印刷の枚数が制限されること、画像形成装置１０においてカラー印刷のみを実行することができないことは、それぞれ、カラー印刷の実行を制限する条件（以下、「制限条件」という）である。
【００７５】
画像形成装置１０において、いずれか１つでも制限条件を満たす場合には、カラー印刷が禁止される、または、カラー機能を使用することができない（以下、これらをまとめてカラー使用不可」ということがある。また、カラー使用不可に対して、カラー印刷が禁止されていない、または、カラー機能を使用することができることを、まとめて「カラー使用可」ということがある）。
【００７６】
このような場合において、カラースタートキー１１０がタッチされたとしても、カラー印刷は実行されないため、従来では、押されたキー（ここでは、カラースタートキー１１０）が使用不可であることがユーザに通知される。
【００７７】
しかし、カラースタートキー１１０が使用不可であるにも拘わらず、カラー印刷できる場合と同様のコピー設定画面１００またはプレビュー画面２００が表示されている場合には、ユーザはキー操作を行うことにより、カラースタートキー１１０が使用不可であること、すなわち、カラー印刷を実行できないことを知るため、キー操作が無駄である。また、カラースタートキー１１０が使用不可であるにも拘わらず、カラー印刷できる場合と同様のコピー設定画面１００またはプレビュー画面２００が表示されている場合には、ユーザがカラー印刷を実行できないことを知っていたとしても、白黒スタートキー１０８と間違えてカラースタートキー１１０をタッチしてしまうこともある。
【００７８】
このような不都合を回避するため、カラー使用不可の場合には、カラー印刷に関する情報（この実施例では、キーまたはアイコン）を非表示するようにしてある。以下、各画面について説明するが、既に説明した内容については説明を省略することにする。
【００７９】
図７はカラー使用不可の場合におけるコピー設定画面１００ａの一例を示す。図３のコピー設定画面１００と比較して分かるように、コピー設定画面１００ａでは、カラーモードの設定ための機能選択キー１０２が非表示されるとともに、カラースタートキー１１０が非表示される。つまり、コピー設定画面１００ａには、カラーモードの設定ための機能選択キー１０２およびカラースタートキー１１０が設けられない。
【００８０】
したがって、カラー使用不可の場合には、コピー設定画面１００ａにカラーに関するキー（１０２、１１０）が設けられないため、ユーザの誤操作を未然に防止することができる。
【００８１】
なお、カラー印刷のみを実行できないエラーが発生している場合には、このエラーが解消すれば、カラー印刷は可能であるため、カラースタートキー１１０が非表示された領域などの空き領域に、エラーの内容およびエラーを解消すればカラー印刷できる旨の少なくとも一方についてのメッセージが表示されるようにしてもよい。
【００８２】
また、図８に示すように、白黒スタートキー１０８を拡大表示すれば、白黒スタートキー１０８の操作性を向上させることができる。図８では、カラースタートキー１１０が非表示されることにより空いた領域を埋めるように、白黒スタートキー１０８が横長で表示される。
【００８３】
また、図９はカラー使用不可の場合におけるコピー設定画面１００ａにおいて機能選択ウインドウ１３０ａ（以下、「カラー使用不可の機能選択ウインドウ１３０ａ」と呼ぶことがある）が表示された場合の例を示す。図４のコピー設定画面１００に表示された機能選択ウインドウ１３０と比較して分かるように、図９に示す機能選択ウインドウ１３０ａでは、カラー専用の機能を設定するための機能選択キー１３２が非表示される。ただし、カラーバランスの調整についての機能選択キー１３２は、グレーバランスの調整についての機能選択キー１３２に機能および表示が変更される。
【００８４】
ここで、カラー専用の機能は、ＲＧＢの調整、カラーバランスの調整におけるカラーコピーの設定、明度の調整および彩度の調整の各機能である。ＲＧＢの調整機能では、画像において、選択した色（Ｒ、ＧまたはＢ）の色味が調整される。カラーバランスの調整機能におけるカラーコピーの設定では、イエロー、マゼンタ、シアン、ブラックの色の具合、階調性、濃度が調整される。明度の調整機能では、画像全体の明度が調整される。彩度の調整機能では、画像全体の彩度が調整される。
【００８５】
また、図１０に示すように、図８に示したコピー設定画面１００ａと同様に、白黒スタートキー１０８を拡大表示すれば、白黒スタートキー１０８の操作性を向上させることができる。
【００８６】
また、図１１はカラー使用不可の場合におけるプレビュー画面２００ａの例を示す。図５または図６に示したプレビュー画面２００と比較して分かるように、図１１に示すプレビュー画面２００ａでは、カラーまたはモノクロの原稿に関係無く、プレビュー画像２０２はグレースケールで表示される。
【００８７】
したがって、カラーの原稿を読み取った場合にも、読み取った原稿に対応するプレビュー画像２０２はグレースケールで表示されるため、カラーで印刷できるかのような誤解をユーザに与えることは無い。
【００８８】
また、図１２に示すように、図８および図１０に示したコピー設定画面１００ａと同様に、白黒スタートキー１０８を拡大表示すれば、白黒スタートキー１０８の操作性を向上させることができる。
【００８９】
図１３は図２に示したＲＡＭ１４のメモリマップ７０の一例を示す図である。図７に示すように、ＲＡＭ１４は、プログラム記憶領域７２およびデータ記憶領域７４を含む。ＲＡＭ１４のプログラム記憶領域７２には、画像形成装置１０を制御するための制御プログラムが記憶される。制御プログラムは、メイン処理プログラム７２ａ、操作検出プログラム７２ｂ、画像生成プログラム７２ｃ、画像表示プログラム７２ｄ、カラー機能設定プログラム７２ｅ、画像読取プログラム７２ｆ、プレビュープログラム７２ｇ、画像形成プログラム７２ｈおよび印刷枚数カウントプログラム７２ｉを含む。
【００９０】
メイン処理プログラム７２ａは、画像形成装置１０の全体的な処理を実行するためのプログラムである。操作検出プログラム７２ｂは、画像形成装置１０の各部への操作を検出するためのプログラムである。たとえば、操作検出プログラム７２ｂは、タッチパネル２０から出力されたタッチ座標データを取得して、ディスプレイ２２に表示される各種の画面に含まれるソフトウェアキーが操作されたことを検出するためのプログラムである。また、操作検出プログラム７２ｂは、操作ボタン２６ａからの操作入力を検出するためのプログラムでもある。
【００９１】
画像生成プログラム７２ｃは、ＧＰＵを制御して、後述する画像生成データ７４ｂを用いて、各種の画面（１００、１００ａ、１３０、１３０ａ、２００、２００ａなど）に対応する表示画像データを生成するためのプログラムである。また、画像表示プログラム７２ｄは、画像生成プログラム７２ｃに従って生成された表示画像データをディスプレイ２２に出力するためのプログラムである。
【００９２】
カラー機能設定プログラム７２ｅは、制限条件を満たすかどうかを判断して、制限条件を満たさない場合に、カラー使用可を設定し、制限条件を満たす場合に、カラー使用不可を設定するためのプログラムである。
【００９３】
画像読取プログラム７２ｆは、画像読取部３０を制御して、ＡＤＦによって搬送される原稿の画像または原稿載置台に載置された原稿の画像を読み取り（スキャンし）、読み取った画像に対応する画像信号すなわち読取画像データをＣＰＵ１２に出力するためのプログラムである。ＣＰＵ１２は、読取画像データを受信すると、受信した読取画像データを入力画像データ７４ｃとしてデータ記憶領域７４に記憶する。
【００９４】
プレビュープログラム７２ｇは、ユーザがプレビューキー１１４をタッチしたことに応じて、原稿をスキャンし、スキャンした原稿に対応するプレビュー画像２０２を含むプレビュー画面２００、２００ａをディスプレイ２２に表示するためのプログラムである。したがって、プレビュープログラム７２ｇが実行されるときには、画像生成プログラム７２ｃ、画像表示プログラム７２ｄおよび画像読取プログラム７２ｆも実行される。
【００９５】
画像形成プログラム７２ｈは、画像形成部３２を制御して、後述する出力画像データ７４ｄなどの画像データに応じて多色または単色の画像を記録媒体（用紙）に形成するためのプログラムである。詳細な説明は省略するが、画像形成処理が実行されるときに、入力画像データ７４ｃに画像処理が施され、出力画像データ７４ｄが生成される。
【００９６】
印刷枚数カウントプログラム７２ｉは、画像形成装置１０においてカラー印刷した枚数をカウントするためのプログラムである。詳細な説明は省略するが、上述したように、制限枚数が設定されている場合には、制限される日単位または月単位で、カラー印刷の枚数のカウント値がリセットされる。
【００９７】
なお、図示は省略するが、プログラム記憶領域７２には、画像形成装置１０が備える各種の機能を実行するための他のプログラムが記憶される。
【００９８】
また、ＲＡＭ１４のデータ記憶領域７４には、操作入力データ７４ａ、画像生成データ７４ｂ、入力画像データ７４ｃ、出力画像データ７４ｄ、制限条件データ７４ｅよび累積値データ７４ｆなどのデータが記憶される。また、データ記憶領域７４には、カラー機能フラグ７４ｇが記憶される。
【００９９】
操作入力データ７４ａは、操作検出プログラム７２ｂに従って検出または取得したタッチ座標データまたは／および操作データであり、時系列に従ってデータ記憶領域７４に記憶される。
【０１００】
画像生成データ７４ｂは、表示画像データを生成するためのポリゴンデータまたはテクスチャデータ等のデータである。また、画像生成データ７４ｂには、ソフトウェアキーの画像データ等も含まれる。
【０１０１】
入力画像データ７４ｃは、画像読取部３０で読み取った読取画像データ、または外部コンピュータから送信された画像データ等の画像データである。出力画像データ７４ｄは、入力画像データ７４ｃに基づいて生成された印刷用の画像データである。
【０１０２】
制限条件データ７４ｅは、画像形成装置１０においてカラー印刷が禁止されること、コピー機能においてカラー印刷が禁止されること、および、画像形成装置１０におけるカラー印刷の枚数が制限されることのいずれかの制限条件が設定されていることのいずれかの制限条件を満たす場合に、満たした制限条件に関する情報（識別情報など）についてのデータである。制限条件データ７４ｅは、ＨＤＤ２８に記憶またはセーブされており、コピー機能の処理（図１４〜図２１参照）を実行するときに、ＨＤＤ２８から読み出され、ＲＡＭ１４に書き込まれる（または記憶される）。したがって、いずれの制限条件も満たさない場合には、制限条件データ７４ｅはＨＤＤ２８およびデータ記憶領域７４に記憶されることはない。また、カラー印刷のみ実行できないエラーが発生していることの制限条件は予め設定される内容ではないため、制限条件データ７４ｅには含まれていない。
【０１０３】
累積値データ７４ｆは、画像形成装置１０においてカラー印刷を実行した印刷枚数についての累積値についての数値データである。累積値データ７４ｆは、ＨＤＤ２８に記憶またはセーブされており、コピー機能の処理（図１４〜図２１参照）を実行するときに、ＨＤＤ２８から読み出され、ＲＡＭ１４に書き込まれる（または記憶される）。ただし、累積値データ７４ｆは、管理者の操作またはカラー印刷の枚数が制限される期間を経過すると、リセットされる。
【０１０４】
なお、画像形成装置１０では、モノクロ印刷を実行した印刷枚数もカウントされるが、本願発明の本質的な内容では無いため、説明は省略する。
【０１０５】
カラー機能フラグ７４ｇは、カラー使用可またはカラー使用不可を判断するためのフラグである。カラー機能フラグ７４ｇは、カラー使用可である場合にオンされ、カラー使用不可である場合にオフされる。この実施例では、カラー機能フラグ７４ｇは、コピー機能の処理（図１４〜図２１）が開始されたときはオンされる。
【０１０６】
なお、図示は省略するが、データ記憶領域７４には、制御プログラムの実行に必要な他のデータが記憶されたり、制御プログラムの実行に必要なタイマ（カウンタ）および他のフラグが設けられたりする。
【０１０７】
図１４〜図２１は図２に示すＣＰＵ１２のコピー機能の処理の一例を示すフロー図である。このコピー機能の処理は、ホーム画面でコピージョブが選択されたときに開始される。
【０１０８】
図１４に示すように、ＣＰＵ１２は、コピー機能の処理を開始すると、ステップＳ１で、制限条件を読み出す。ここでは、ＣＰＵ１２は、ＨＤＤ２８に記憶またはセーブされた制限条件データ７４ｅを読出し、ＲＡＭ１４のデータ記憶領域７４に書き込む（または記憶する）。
【０１０９】
続くステップＳ３では、制限条件データ７４ｅを参照して、コピー機能においてカラー印刷が禁止されているかどうかを判断する。ステップＳ３で“ＹＥＳ”であれば、つまり、コピー機能においてカラー印刷が禁止されていれば、図１５に示すステップＳ１３に進む。一方、ステップＳ３で“ＮＯ”であれば、つまり、コピー機能においてカラー印刷が禁止されていなければ、ステップＳ５で、制限条件データ７４ｅを参照して、画像形成装置１０においてカラー印刷が禁止されているかどうかを判断する。
【０１１０】
ステップＳ５で“ＹＥＳ”であれば、つまり、画像形成装置１０においてカラー印刷が禁止されていれば、ステップＳ１３に進む。一方、ステップＳ５で“ＮＯ”であれば、つまり、画像形成装置１０においてカラー印刷が禁止されていなければ、ステップＳ７で、制限条件データ７４ｅを参照して、画像形成装置１０においてカラー印刷の枚数制限が有るかどうかを判断する。
【０１１１】
ステップＳ７で“ＮＯ”であれば、つまり、画像形成装置１０においてカラー印刷の枚数制限が無ければ、図１５に示すステップＳ１７に進む。一方、ステップＳ７で“ＹＥＳ”であれば、つまり、画像形成装置１０においてカラー印刷の枚数制限が有れば、ステップＳ９で、カラー印刷された枚数の累積値を読み出す。このステップＳ９では、ＣＰＵ１２は、ＨＤＤ２８にセーブされた累積値データ７４ｆを読み出し、ＲＡＭ１４のデータ記憶領域７４に書き込む。
【０１１２】
続いて、ステップＳ１１では、累積値が制限枚数に到達したかどうかを判断する。つまり、ＣＰＵ１２は、カラーコピーの枚数制限を満たすかどうかを判断する。ステップＳ１１で“ＹＥＳ”であれば、つまり、累積値が制限枚数に到達していれば、カラーコピーの枚数制限を満たすと判断し、ステップＳ１３に進む。一方、ステップＳ１１で“ＮＯ”であれば、つまり、累積値が制限枚数に到達していなければ、カラーコピーの枚数制限を満たしていないと判断し、ステップＳ１７に進む。
【０１１３】
図１５に示すように、ステップＳ１３では、カラー機能フラグ７４ｇをオフする。ただし、上述したように、カラー機能フラグ７４ｇは、コピー機能の処理が開始された当初では、オンされている。次のステップＳ１５では、カラー機能無しのコピー設定画面すなわち図７または図８に示したようなカラー使用不可のコピー設定画面１００ａをディスプレイ２２に表示して、ステップＳ２７に進む。
【０１１４】
また、ステップＳ１７では、トナー残量を読み出し、ステップＳ１９では、残量無しのカラートナーが有るかどうかを判断する。ステップＳ１９で“ＹＥＳ”であれば、つまり、残量無しのカラートナーが有る場合には、ステップＳ１３に進む。一方、ステップＳ１９で“ＮＯ”であれば、つまり、残量無しのカラートナーが無い場合には、ステップＳ２１で、カラー印刷のみ実行できない他のエラーが発生しているかどうかを判断する。つまり、ＣＰＵ１２は、カラー印刷のみ実行できないエラーのうち、カラートナーのトナー切れのエラー以外の他のエラーが発生しているかどうかを判断する。
【０１１５】
ステップＳ２１で“ＹＥＳ”であれば、つまり、カラー印刷のみ実行できない他のエラーが発生していれば、ステップＳ１３に進む。一方、ステップＳ２１で“ＮＯ”であれば、つまり、カラー印刷のみ実行できない他のエラーが発生していなければ、何ら制限条件を満たさないと判断して、ステップＳ２３で、カラー機能フラグ７４ｇをオンする。ただし、カラー機能フラグ７４ｇが既にオンされている場合には、ステップＳ２３の処理はスキップされる。続いて、ステップＳ２５では、カラー機能有りのコピー設定画面すなわち図３に示したような基本状態のコピー設定画面１００をディスプレイ２２に表示して、ステップＳ２７に進む。
【０１１６】
ステップＳ２７では、ユーザの操作が有るかどうかを判断する。ここでは、ＣＰＵ１２は、現在の操作入力データ７４ａがデータ記憶領域７４に記憶されているかどうかを判断する。
【０１１７】
なお、図示および詳細な説明は省略するが、操作入力データ７４ａを検出し、検出した操作入力データ７４ａをデータ記憶領域７４に記憶する処理は、コピー機能の処理と並行して実行される。
【０１１８】
ステップＳ２７で“ＮＯ”であれば、つまり、ユーザの操作が無ければ、同じステップＳ２７に戻る。一方、ステップＳ２７で“ＹＥＳ”であれば、つまり、ユーザの操作が有れば、図１６に示すステップＳ２９で、他の機能設定かどうかを判断する。ここでは、ＣＰＵ１２は、タッチ座標データに基づいて、他の機能選択キー１０４がタッチされたかどうかを判断する。以下、ソフトウェアキーが操作されたかどうかを判断する場合について同様である。
【０１１９】
ステップＳ２９で“ＹＥＳ”であれば、つまり、他の機能の設定であれば、ステップ３１で、カラー機能フラグ７４ｇがオンであるかどうかを判断する。ステップＳ３１で“ＹＥＳ”であれば、ステップＳ３３で、カラー使用可の機能選択ウインドウ１３０を表示して、ステップＳ３７に進む。つまり、ステップＳ３３の処理が実行されることにより、図４に示したような、カラー使用可の機能選択ウインドウ１３０を含むコピー設定画面１００がディスプレイ２２に表示される。
【０１２０】
一方、ステップＳ３１で“ＮＯ”であれば、ステップＳ３５で、カラー使用不可の機能選択ウインドウ１３０ａを表示して、ステップＳ３７に進む。つまり、ステップＳ３５の処理が実行されることにより、図９または図１０に示したような、カラー使用不可の機能選択ウインドウ１３０ａを含むカラー使用不可のコピー設定画面１００ａがディスプレイ２２に表示される。
【０１２１】
ステップＳ３７では、他の機能の設定が変更されたかどうかを判断する。ステップＳ３７では、ＣＰＵ１２は、他の機能についての詳細設定が変更されたかどうかを判断する。
ステップＳ３７で“ＮＯ”であれば、つまり、他の機能の設定が変更されていなければ、ステップＳ４１に進む。一方、ステップＳ３７で“ＹＥＳ”であれば、つまり、他の機能の設定が変更されれば、ステップＳ３９で、変更された設定内容を保存して、ステップＳ４１に進む。
【０１２２】
ステップＳ４１では、ＯＫキー１３４が操作されたかどうかを判断する。ステップＳ４１で“ＮＯ”であれば、つまり、ＯＫキー１３４が操作されていなければ、ステップＳ３７に戻る。一方、ステップＳ４１で“ＹＥＳ”であれば、つまり、ＯＫキー１３４が操作されれば、図１５に示したステップＳ２７に戻る。
【０１２３】
なお、図１３では省略したが、他の機能の設定についてのデータ（機能設定データ）はデータ記憶領域７４に記憶されており、ステップＳ３９では、機能設定データが変更された内容を含む機能設定データに更新される。
【０１２４】
また、ステップＳ２９で“ＮＯ”であれば、つまり、他の機能の設定でなければ、図１７に示すように、ステップＳ４３で、白黒スタートキー１０８が操作されかどうかを判断する。ステップＳ４３で“ＹＥＳ”であれば、つまり、白黒スタートキー１０８が操作されていれば、図１８に示すステップＳ５１に進む。一方、ステップＳ４３で“ＮＯ”であれば、つまり、白黒スタートキー１０８が操作されていなければ、ステップＳ４５で、カラースタートキー１１０が操作されたかどうかを判断する。ただし、カラー使用不可のコピー設定画面１００ａが表示されている場合には、カラースタートキー１１０は非表示であるため、ステップＳ４５の処理はスキップされ、ステップＳ４７の処理が実行される。
【０１２５】
ステップＳ４５で“ＹＥＳ”であれば、つまり、カラースタートキー１１０が操作されていれば、図１９に示すステップＳ５９に進む。一方、ステップＳ４５で“ＮＯ”であれば、つまり、カラースタートキー１１０が操作されていなければ、ステップＳ４７で、プレビューキー１１４が操作されたかどうかを判断する。
【０１２６】
ステップＳ４７で“ＹＥＳ”であれば、つまり、プレビューキー１１４が操作されていれば、図２０に示すステップＳ６９に進む。一方、ステップＳ４７で“ＮＯ”であれば、つまり、プレビューキー１１４が操作されていなければ、ステップＳ４９で、その他の処理を実行して、ステップＳ２７に戻る。ステップＳ４９では、機能選択キー１０２等がタッチされることに応じて、コピー設定画面１００には、カラーモードの設定、原稿の向き、用紙選択、両面コピー、倍率、コピー濃度または印刷物の出力方法の選択についての詳細設定の処理が実行されたり、テンキー１０６等がタッチされることに応じて設定される部数の設定処理が実行されたり、リセットキー１１２がタッチされることに応じてコピー設定画面１００またはコピー設定画面１００ａで設定されたコピージョブの動作条件の設定が初期化される処理が実行されたり、他の機能の設定が初期化される処理が実行されたりする。
【０１２７】
上述したように、ステップＳ４３で“ＹＥＳ”であれば、図１８に示すステップＳ５１で、原稿の読取処理を実行し、読取画像データを入力画像データ７４ｃとしてデータ記憶領域７４に記憶する。次のステップＳ５３では、入力画像データ７４ｃから、出力画像データ７４ｄを生成し、ステップＳ５５で、白黒の画像形成処理を実行する。
【０１２８】
そして、ステップＳ５７では、コピージョブの終了かどうかを判断する。ここでは、ＣＰＵ１２は、すべての原稿について設定された部数のコピーを行ったかどうか判断する。ステップＳ５７で“ＮＯ”であれば、つまり、コピージョブの終了でなければ、ステップＳ５１に戻る。一方、ステップＳ５７で“ＹＥＳ”であれば、つまり、コピージョブの終了であれば、コピー機能の処理を終了する。
【０１２９】
なお、ステップＳ５１〜Ｓ５７では、複数枚の原稿が１枚ずつコピーされるように説明してあるが、実際には、読取処理が開始されると、出力画像の生成処理および画像形成処理は読取処理と並行して実行される。このことは、後述するステップＳ５９〜Ｓ６３についても同じである。
【０１３０】
また、ＣＰＵ１２は、コピー機能の処理を終了すると、ホーム画面に戻ったり、省電力モードに移行したりしない場合には、コピー機能の処理を開始する。以下、ＣＰＵ１２がコピー機能の処理を終了した場合について同じである。
【０１３１】
また、上述したように、ステップＳ４５で“ＹＥＳ”であれば、図１９に示すステップＳ５９で、原稿の読取処理を実行し、読取画像データを入力画像データ７４ｃとしてデータ記憶領域７４に記憶する。次のステップＳ６１では、入力画像データ７４ｃから、出力画像データ７４ｄを生成し、ステップＳ６３で、カラーの画像形成処理を実行する。
【０１３２】
続いて、ステップＳ６５では、累積値を１加算する。ここでは、累積値データ７４ｆが更新される。そして、ステップＳ６７では、コピージョブの終了かどうかを判断する。ステップＳ６７で“ＮＯ”であれば、つまり、コピージョブの終了でなければ、ステップＳ５９に戻る。一方、ステップＳ６７で“ＹＥＳ”であれば、つまり、コピージョブの終了であれば、コピー機能の処理を終了する。
【０１３３】
また、上述したように、ステップＳ４７で“ＹＥＳ”であれば、図２０に示すステップＳ６９で、原稿の読取処理を実行し、読取画像データを入力画像データ７４ｃとしてデータ記憶領域７４に記憶する。
【０１３４】
次のステップＳ７１では、カラー機能フラグ７４ｇがオンであるかどうかを判断する。ステップＳ７１で“ＮＯ”であれば、ステップＳ８１で、図１１または図１２に示したような、読み込んだ原稿のグレースケールのプレビュー画像を含むカラー使用不可のプレビュー画面２００ａをディスプレイ２２に表示して、図２１に示すステップＳ８５に進む。一方、ステップＳ７１で“ＹＥＳ”であれば、ステップＳ７３で、カラーモードが白黒に設定されているかどうかを判断する。
【０１３５】
ステップＳ７３で“ＹＥＳ”であれば、つまり、カラーモードが白黒に設定されていれば、ステップＳ８１に進む。ただし、この場合には、ステップＳ８１では、図６に示したようなプレビュー画面２００が表示される。一方、ステップＳ７３で“ＮＯ”であれば、つまり、カラーモードが白黒に設定されていなければ、ステップＳ７５で、カラーモードが自動設定に設定されているかどうかを判断する。ステップＳ７５で“ＮＯ”であれば、つまり、カラーモードが自動設定に設定されていなければ、カラーモードがカラーに設定されていると判断し、ステップＳ８３で、図５に示したような、読み込んだ原稿のカラーのプレビュー画像を含むプレビュー画面２００をディスプレイ２２に表示して、ステップＳ８５に進む。
【０１３６】
一方、ステップＳ７５で“ＹＥＳ”であれば、つまり、カラーモードが自動設定に設定されていれば、ステップＳ７７で、ＡＣＳ判定の処理を実行し、ステップＳ７９で、カラーの原稿かどうかを判断する。ステップＳ７９で“ＮＯ”であれば、つまり、カラーの原稿でなければ、ステップＳ８１に進む。この場合には、ステップＳ８１では、図６に示したようなプレビュー画面２００が表示される。一方、ステップＳ７９で“ＹＥＳ”であれば、つまり、カラー原稿であれば、ステップＳ８３に進む。この場合には、ステップＳ８３では、図５に示したようなプレビュー画面２００が表示される。
【０１３７】
図２１に示すように、ステップＳ８５では、ユーザの操作があるかどうかを判断する。ステップＳ８５で“ＮＯ”であれば、同じステップＳ８５に戻る。一方、ステップＳ８５で“ＹＥＳ”であれば、ステップＳ８７で、白黒スタートキー１０８が操作されたかどうかを判断する。ステップＳ８７で“ＹＥＳ”であれば、図１８に示したステップＳ５１に進む。一方、ステップＳ８７で“ＮＯ”であれば、ステップＳ８９で、カラースタートキー１１０が操作されたかどうかを判断する。ステップＳ８９で“ＹＥＳ”であれば、図１９に示したステップＳ５９に進む。一方、ステップＳ８９で“ＮＯ”であれば、ステップＳ９１で、その他の処理を実行して、ステップＳ８５に戻る。ステップＳ９１では、プレビュー画像が拡大または縮小されたり、プレビュー画像の向きが変更されたりする。図示は省略するが、プレビュー画面２００または２００ａにおいてリセットキー１１２がタッチされた場合には、プレビュー画面２００またはプレビュー画面２００ａが非表示され、コピー設定画面１００またはコピー設定画面１００ａがディスプレイ２２に表示される。このとき、スキャンされた原稿に対応する入力画像データ７４ｃは消去される。
【０１３８】
なお、周知の内容であるため、図示等は省略するが、図１４〜図２１に示すコピー機能の処理に並行して、ＣＰＵ１２は、紙詰まり、用紙切れ、トナー切れなどのエラーの発生、画像形成ステーションにおけるエラーの発生などを検出する処理（エラー検出処理）も実行している。画像形成装置１０において、エラーが発生し、これが検知されると、コピー機能の処理が中断されるとともに、エラーの内容がユーザ等に報知される。また、画像形成装置１０では、エラーが解消されると、中断されたコピー機能の処理を再開することができる。
【０１３９】
ただし、図１９に示したカラー印刷の処理（ステップＳ５９〜Ｓ６７）の実行中に、カラー印刷のみ実行できないエラーが発生し、このエラーを解消できない場合には、モノクロスタートキー１０８をタッチして、モノクロ印刷を実行することによって中断したジョブを続行することができる。したがって、カラー印刷の実行中に、カラー印刷のみ実行できないエラーが発生した場合には、エラーの内容を報知するためのメッセージウインドウが表示されたコピー設定画面において、カラーモードの設定の機能選択キー１０２とカラースタートキー１１０を非表示にするようにしてもよい。
【０１４０】
また、図示等は省略するが、ホームキーが押下され、ホーム画面に戻る場合、省電力キーが押下され、スリープモードに移行される場合、および、コピー以外の機能（たとえば、Ｅ−ＭＡＩＬ送信機能等）の設定画面を表示するユーザ操作が行われた場合にも、コピー機能の処理は終了される。
【０１４１】
この実施例によれば、カラー印刷の機能を使用することができない場合には、カラー印刷の機能に関するソフトウェアキーを非表示するので、誤操作を未然に防止することができる。
【０１４２】
また、この実施例によれば、カラー印刷の機能を使用することができない場合には、カラーの原稿であっても、カラーモードの設定内容に関係無く、プレビュー画像をグレースケールで表示するので、カラー印刷を実行できるかのような誤解をユーザに与えるのを防止することができる。
【０１４３】
なお、この実施例では、カラー印刷の機能を使用することができない場合には、カラースタートキー１１０を消去するようにしたが、これに限定される必要はない。
【０１４４】
たとえば、カラースタートキー１１０を消去することに代えて、キーの図柄の明度を低減して表示、キーの図柄を色反転させて表示またはキーの図柄をグレーアウトで表示するように、図柄の表示方法を変えてもよい。また、図柄の表示方法を変えるのみならず、さらに、注意を喚起するメッセージを表示するようにしてもよい。さらに、図柄の表示方法を変えるのみならず、キーの大きさを相対的に変化させるようにしてもよい。キーの大きさを相対的に変化させる例としては、白黒スタートキー１０８の大きさが大きくされ、カラースタートキー１１０の大きさが小さくされる。これらの変更は、複合的に採用されてもよい。このようにしても、誤操作を出来る限り防止できると考えられる。
【０１４５】
また、上述の実施例では、コピー機能についてのみ説明したが、カラー印刷不可の場合であっても、ＦＡＸ送信、Ｅ−ＭＡＩＬ送信、Ｉ−ＦＡＸ送信、ドキュメントファイルイングなどの印刷に関係しない機能については、操作画面は変更されない。
【０１４６】
ただし、外部からの受信データまたは画像形成装置１０の本体（ＨＤＤ２８）に保存されているデータを印刷する場合には、画像形成装置１０においてカラー印刷が禁止されている場合または画像形成装置１０におけるカラー印刷の枚数が制限されている場合には、それらの制限条件に従って操作画面におけるカラーに関する情報（カラースタートキー１１０など）が非表示される。
【０１４７】
なお、上述の実施例で挙げた数値、画面および具体的な構成等は一例であり、実際の製品に応じて適宜変更することが可能である。
【０１４８】
また、上述の実施例で示したフロー図の各ステップは、同じ結果が得られるのであれば、処理される順番は適宜変更することが可能である。たとえば、ステップＳ３と、ステップＳ５と、ステップＳ７〜ステップＳ１１と、ステップＳ１７〜ステップＳ１９と、ステップＳ２１の各制限条件を満たすかどうかを判断する処理は、どの順番で実行されてもよい。
【符号の説明】
【０１４９】
１０  …画像形成装置
１２  …ＣＰＵ
１４  …ＲＡＭ
２０  …タッチパネル
２２  …ディスプレイ
２８  …ＨＤＤ
３０  …画像読取部
３２  …画像形成部
【図１】
2020078021.tif 000003
【図２】
2020078021.tif 000004
【図３】
2020078021.tif 000005
【図４】
2020078021.tif 000006
【図５】
2020078021.tif 000007
【図６】
2020078021.tif 000008
【図７】
2020078021.tif 000009
【図８】
2020078021.tif 000010
【図９】
2020078021.tif 000011
【図１０】
2020078021.tif 000012
【図１１】
2020078021.tif 000013
【図１２】
2020078021.tif 000014
【図１３】
2020078021.tif 000015
【図１４】
2020078021.tif 000016
【図１５】
2020078021.tif 000017
【図１６】
2020078021.tif 000018
【図１７】
2020078021.tif 000019
【図１８】
2020078021.tif 000020
【図１９】
2020078021.tif 000021
【図２０】
2020078021.tif 000022
【図２１】
2020078021.tif 000023